(57)【要約】【課題】拡大投影された画像を映写するためのスクリーンである折畳式スクリーンにおいて、従来より小型軽量な折畳式スクリーンを安いコストで提供するものである。【解決手段】折畳可能な面状支持体を展開後に面状支持体にスクリーンを固定し、スクリーン使用後には、面状支持体よりスクリーンを取外し可能としたものである。          【選択図】          図８
2008058903.tif 000002
【特許請求の範囲】
【請求項１】
拡大投影された画像を映写するためのスクリーンであって、折畳可能な面状支持体を展開後に面状支持体にスクリーンを固定し、スクリーン使用後には、面状支持体よりスクリーンを取外し可能としたものであることを特徴とする折畳式面状支持体とスクリーン。
【請求項２】
前記面状支持体が三浦折りまたはマーズにより折られたことを特徴とする請求項１記載の折畳式面状支持体とスクリーン。
【請求項３】
スクリーンが伸縮性のあるものであることを特徴とする請求項１〜３記載の折畳式面状支持体とスクリーン。
【請求項４】
面状支持体が光を通さないことを特徴とする請求項１〜４記載の折畳式面状支持体とスクリーン。
【発明の詳細な説明】
【技術分野】
【０００１】
小型映写機、液晶プロジェクター、マイクロミラー型プロジェクター、スライド、ＯＨＰ等の装置から投影された映像を映写する折畳式面状支持体とスクリーンに関するものである。
【背景技術】
【０００２】
スクリーン等の映像表示装置は、映像表示面積が大きくなる程、表示できる情報量が多くなる。また、動画、静止画等の映像情報では、迫力感、臨場感といった映像表現が豊かになる。一方、持ち運びを考慮した場合には、大きなスクリーンは好ましくない。
【０００３】
特許文献１では傘型収納方式のスクリーンが提供された。図１はスクリーンを折畳んだ際の断面図である。図２はスクリーンを展開したときの断面図であり、図３は斜視図である。本スクリーンでは、図１のように、構造上折畳んだ際にスクリーンの対角線の半分までにしか小さくならないために、折畳んだ際に小型化がし難い。また、骨格部材に重量物を用いていることから持ち運びに不便である。
【０００４】
特許文献２では、小型の投影機から映写するスクリーンが提供された。図４は、スクリーンを折畳んだ際の正面図であり、図５は展開したときの正面図である。スクリーンは個々のスクリーン行方向、列方向で蝶番のようなもので繋ぎ合わされており、行方向、列方向共に折畳可能なスクリーンである。このスクリーンは、継ぎ目があるために継ぎ目の箇所の映像が鮮明でない。また、蝶番等の骨格部材を使用しているために、重量が重くなり持ち運びに不便であり、製造コストが高くなる問題があった。
【特許文献１】特開平４−２７５５３８号公報
【特許文献２】特開２００３−１０１９０９号公報
【特許文献３】特願２００６−２３８７５６号
【発明の開示】
【発明が解決しようとする課題】
【０００５】
小型化を優先すると特許文献２のようにスクリーンに継ぎ目があるために映写された映像がきれいではないという問題があった。また、映写された映像の鮮明さを優先すると特許文献１のように折畳んだ際に小型化し難いという問題があった。映写された映像の美しさと、折畳んだ際の小型化を両立することは大きな課題であった。そこで、本発明者らは、折畳式スクリーンにおいて、映像の鮮明さを得ながら折畳んだ時は、軽量でコンパクトになり携帯可能なスクリーンを折畳み可能な面状支持体とスクリーンを固着したものを特許文献３にて提供した。これは、三浦折り等の折畳み可能な面状支持体を用意し、この面状支持体にスクリーンを部分的に固着して、面状支持体を折畳むとスクリーンは、面状支持体の谷部に収納されてコンパクトになるものであった。しかしながら、この折畳式スクリーンに対して、さらに小型、軽量にできるスクリーンが望まれていた。
本発明は、折畳式スクリーンにおいて、従来より小型軽量な折畳式スクリーンを安いコストで提供するものである。
【課題を解決するための手段】
【０００６】
第１発明は、拡大投影された画像を映写するためのスクリーンであって、折畳可能な面状支持体を展開後に面状支持体にスクリーンを固定し、スクリーン使用後には、面状支持体よりスクリーンを取外し可能としたものである折畳式面状支持体とスクリーンである。
第２発明は、前記面状支持体が三浦折りまたはマースにより折られたこと第１発明記載の折畳式面状支持体とスクリーンである。
第３発明は、スクリーンが伸縮性のあるものである第１、２発明記載の折畳式面状支持体とスクリーンである。
第４発明は、面状支持体が光を通さない第１〜３発明記載の折畳式面状支持体とスクリーンである。
【発明の効果】
【０００７】
折畳式面状支持体とスクリーンは、面状支持体とスクリーンを常に固着する必要がないことから、面状支持体の厚みとスクリーンの厚みをかなり薄くすることができる。そのことにより、折畳まれた面状支持体の厚みは、薄くなり、スクリーンも薄いので任意の形でに折畳むと折畳み厚みは、薄くなる。その結果、従来の特許文献３の折畳式スクリーンより小型軽量になり携帯するのに便利になる。
【発明を実施するための最良の形態】
【０００８】
スクリーンを支持する面状支持体の材質は、紙、プラスチックシート、ラミネート紙、金属等で構成されていることが望ましく、厚みは０．０１ｍｍから２ｍｍ程度が望ましい。面状支持体とは、折畳が可能な折目を付けた平面体を言う。好ましくは、平面体に三浦折りまたはマースで折目を付けたものである。三浦折りは、図６で示す折目を付けたものであり、マーズは、図７で示す折目を付けたものである。実線は山折り、点線は谷折りを示している。折目をつけたものは、コンパクトに折畳むことができる。三浦折りは、大型宇宙構造物の収納と展開で有名である。また、地図や地図帳に実用化されている。
【０００９】
スクリーンは、既存の生地ベースのもの、フィルムベースのものを使用できる。通常の未使用時は、面状支持体とスクリーンは分離しておく。スクリーンの使用時に、まず面状支持体を展開したものを壁、窓ガラス、ホワイトボード、黒板等の被着体に貼り付ける。貼り付け方法は、下記の方法が挙げられる。ピン止めで止める。磁石で止める。再剥離タイプの両面粘着テープで止める。被着体に引っ掛け部を設け、面状支持体にフックを取り付けるか、穴を開けて止める。この引っ掛け部の個数は少なくとも４隅とそれ以上が好ましい。面状支持体に吸盤を取り付けてフラットな被着体に止める。被着体の全面または一部を吸引するようにして貼り付ける。また、４角形の伸縮できるフレームを用意して、展開したフレームに折畳式スクリーンを止める。フレームは、被着体に架けたり、フレームに伸縮性のスタンドを取り付けても良い。天井からの紐で吊るしても良い。
【００１０】
面状支持体の展開は、完全にフラットに展開するよりも、完全展開の面状支持体の面積に対して、６０〜９８％の面積に折畳まれた状態に展開するのがよい。このようにすることで、被着体に貼り付けたときに面状支持体は折畳まれた状態なので山部が残る。スクリーンを面状支持体に取り付けるときに、この山部がスクリーンに適度なテンションをかけることで、スクリーンにしわ及びたるみがなくなりフラットに貼ることが容易となる。結果として、スクリーンに鮮明な美しい映像を投影することができる。
【００１１】
面状支持体にスクリーンを取り付ける方法としては、（１）予め面状支持体の４隅または４隅以上の箇所にフックを設ける。スクリーンに面状支持体にフックの箇所と同じ位置にハトメの穴部を設ける。スクリーンのハトメ部を面状支持体のフックに架ける。（２）面状支持体とスクリーンをスナップで止める。（３）面状支持体とスクリーンをマジックテープで止める。（４）面状支持体とスクリーンをカギホックで止める。（５）面状支持体とスクリーンを磁石で止める。等が挙げられる。
【００１２】
スクリーンの材質として縦横に伸縮性があるものを使用することにより、面状支持体を対角方向に引っ張ったときに、スクリーンのしわ、及びたるみがなくなりフラットなスクリーン面を形成することができる。伸縮性のあるスクリーンの生地としては、ポリエステル、ポリウレタン等の繊維をループ織り等した種々の生地が挙げられる。また、生地でなくても伸縮性のあるフィルム、シート類であってもよい。
【００１３】
面状支持体は光を通さないものにすることにより、背面から面状支持体に当たる光を通さないので映像が鮮明になる。光を通さない面状支持体としては、暗色の面状支持体や、面状支持体の背面側に金属蒸着層を設けたものが挙げられる。
【００１４】
スクリーンの表面には、光学処理層を設けることにより、映像の視野角を広げたり映像の輝度を上げたりすることにより、映像の鮮明性を図っても良い。
【００１５】
図８は、面状支持体を展開したものにスクリーンを、スナップを使って４隅を止めたものである。図９は、図８のＡＢラインの箇所の断面図である。スクリーンは、面状支持体の山部に沿ってテンションがかけられて貼られているのでフラットな面となる。
【００１６】
本発明の折畳式面状支持体とスクリーンは、未使用時は、分離して保管するものである。特許文献３のように、常に両者を一体して折畳むと図１０のようになり面状支持体の谷部に空間ができて、折畳み時の厚みが厚くなって嵩張る。また、一体型の折畳式スクリーンに高い耐久性を要求されると、面状支持体とスクリーンの固着部分の剥がれを防止するために面状支持体とスクリーンの固着を強固にする必要がある。そのために面状支持体とスクリーンの厚みをある程度厚い厚みが必要となる。しかし、本発明品は、分離型のため折畳み時の面状支持体は、スクリーンによる嵩張りはなく最小限の厚みでよく、一体型に比べ薄くすることができる。また、耐久性を要求されたとしても、両者を常時固着する必要がないので一体型に比べ薄い厚みのものが使用できる。スクリーンも同じ理由で一体型のスクリーンに比べ薄い厚みのスクリーンを使用できる。未使用時のスクリーンの収納方法は、任意の折畳み及び又は、ロール巻きですればよい。一体型に比べ本発明の分離式は、小型軽量にすることができ携帯しやすいものとなる。
【００１７】
一般に携帯型スクリーンは、筒にスクリーンが収納される形をとっている。例えば、ＮＥＣ製のモバイルプロジェクターＬＴシリーズ用の４０型スクリーン：ＶＬ−Ｓ４０Ｅは、左右２つの筒にスクリーンが収納される。筒の長さは、７０ｃｍもあり、持ち運びに不便な大きさである。しかし、本発明の折畳式スクリーンで４０型のスクリーンを作成すると、例えば、図６の三浦折りで１つの平行四辺形のＬ長を５ｃｍ、θを７５度で折った面状支持体を使うと、折畳むと図１２で示す縦横のサイズは、約２×３４ｃｍのサイズに収縮し、折畳んだ時の厚みｔも約５ｃｍとなる。厚みは、図６のＬ長より若干短い長さが該当する。これぐらいの大きさであれば、カバンにスクリーンと共に収納して運ぶことが可能となる。
【００１８】
三浦折りは、図６でもわかるように同じ大きさの平行四辺形を組み合わせたものである。平行四辺形のθの角度によっては、縦横の収縮サイズは、異なってくる。例えば、Ｌ長を５ｃｍ、θを８０度にすると、収縮した縦横のサイズは約３×２５ｃｍとなる。平行四辺形のＬ長も任意で決めることができるので、折畳んだ時の厚みを薄くしたいのであればＬ長を短く設計すればよい。平行四辺形の相似形においてＬ長が短くなると、折畳みの数が増え折畳んだ時の嵩張りが増えて縦のサイズが大きくなる。要求される折畳んだ時の収縮サイズに応じて、Ｌ長、θ角度を決めればよい。
【００１９】
面状支持体の材質を紙やラミネート紙等の軽量なものを使用すれば、携帯に便利な軽量となる。製造コストは、面状支持体とスクリーン及び止め具からなり非常にシンプルなものなので安くできる。
【実施例】
【００２０】
（実施例１）折る前の面状支持体のサイズが、縦横６０×４０ｃｍで厚み０．１５ｍｍの黒色の紙を使用した。面状支持体を図６のような三浦折りした。Ｌ長は、５ｃｍ、θは、７５度とした。実線は山折り、点線は谷折りを示している。図６に示す通りに折ると、図８に示す面状支持体１４になる。図８に示すように面状支持体の４隅にスナップで、スクリーンを止めて投影できるスクリーンを作成した。スクリーンは、厚み０．３０ｍｍの白色の伸縮性のあるポリエステル生布製スクリーンを使用した。
【００２１】
尚、面状支持体を完全に広げてフラットにしたときの面積に対して、約８０％の面積に折り畳まれた状態で、面状支持体とスクリーンを固定して折畳式スクリーンを作成した。
【００２２】
（比較例１）折る前の面状支持体のサイズが、縦横６０×４０ｃｍで厚み０．２２ｍｍの黒色の紙を使用した。面状支持体を実施例１と同じ形の三浦折りした。図１１に示す三浦折りの頂点を図１２のようにスクリーンと木綿糸を通し止めて固着させて図１３の折畳式スクリーンを作成した。スクリーンは、厚み０．６０ｍｍの白色の伸縮性のあるポリエステル生布製スクリーンを使用した。
[評価方法]
実施例１、比較例１で作成した面状支持体と一体となったスクリーンの４隅をホワイトボードに磁石で固定した。スクリーンに対して、液晶プロジェクター（エプソン製ＥＬＰ−７３０）で２０インチ相当の静止画像を映写した。映写された映像を観察すると、いずれも鮮明に映った。
【００２３】
実施例１、比較例１のスクリーンを折畳んだ。実施例１は、スナップよりスクリーン単体を剥がして、面状支持体単体を折畳んだ。折畳まれた面状支持体のサイズは、縦横２０×５ｃｍ、厚み１ｃｍとなった。スクリーン単体を２０×６ｃｍに折畳むと厚みは、０．８ｃｍとなって、面状支持体とスクリーンの合計厚みは、１．８ｃｍとなった。重量は、３４ｇであった。
【００２４】
比較例１の折畳式スクリーンを折畳むと縦横のサイズは、３×２１ｃｍ、厚みは、５ｃｍとなった。重量は、６６ｇであった。
【００２５】
従来の比較例１の折畳式スクリーンに比べ、本発明の実施例１の分離型折畳式スクリーンは、その素材に薄膜の材料を使用することができ、別々に折畳むので、厚みが非常に薄くでき小型軽量になった。
【図面の簡単な説明】
【００２６】
【図１】特許文献１の折畳式スクリーンを折畳んだときの断面図
【図２】特許文献１の折畳式スクリーンを展開したときの断面図
【図３】特許文献１の折畳式スクリーンを展開したときの斜視図
【図４】特許文献２の折畳式スクリーンを折畳んだときの正面図
【図５】特許文献２の折畳式スクリーンを展開したときの正面図
【図６】三浦折りの折り目（実線は山折り、点線は谷折り）
【図７】マーズの折り目（実線は山折り、点線は谷折り）
【図８】本発明の面状支持体にスクリーンを固定した図
【図９】図８のＡＢラインの断面図
【図１０】特許文献３の折畳式スクリーンを折畳んだときの断面図
【図１１】三浦折りした面状支持体の頂点の指図
【図１２】比較例１の折畳式スクリーンの頂点における止め部の断面図
【図１３】比較例１の折畳式スクリーンの斜視図
【符号の説明】
【００２７】
１スクリーン
２パイプ
３スライダー
４アーム取り付け具
５支持アーム
６連結アーム
７骨組み部材
８スクリーン
９、１２、１８面状支持体
１１面状支持体の頂点
１３、１５、１９スクリーン
１４面状支持体(三浦折り)
１６スナップ
２０木綿糸
２１木綿糸の止め部
【図１】
2008058903.tif 000003
【図２】
2008058903.tif 000004
【図３】
2008058903.tif 000005
【図４】
2008058903.tif 000006
【図５】
2008058903.tif 000007
【図６】
2008058903.tif 000008
【図７】
2008058903.tif 000009
【図８】
2008058903.tif 000010
【図９】
2008058903.tif 000011
【図１０】
2008058903.tif 000012
【図１１】
2008058903.tif 000013
【図１２】
2008058903.tif 000014
【図１３】
2008058903.tif 000015